(57)【要約】【課題】  トライアングルを２点で吊すことによって、ビーターで無造作に打ち続けても、トライアングル本体が回転しないために確実にビーターで打つ続けることができる、演奏中に回転しないトライアングル。【解決手段】  上記を確実にするために、金属の棒を三角形に曲げた形状であるトライアングルの３つの角のうちの閉じられず切れた状態である角の部分を左右どちらかの下にして床面に立てた時、床面に接していない内側に傾斜している２辺の下から４分の３の高さの位置に孔を開け、新たに用意した把手の左右からそれぞれの孔へ釣り糸で吊り下げる。その把手を片手で持ってもう一方の手でビーターで打てば、２点で釣持することよって、トライアングル本体が回転せず、確実にビーターで打つ続けることができる。【選択図】図１
2015210511.tif 000002
【特許請求の範囲】
【請求項１】
金属の棒を三角形に曲げた形状であるトライアングルの３つの角のうちの閉じられず切れた状態である角の部分を左右どちらかの下にして床面に立てた時、床面に接していない内側に傾斜している２辺の下から４分の３程の高さの位置に孔を開け、新たに用意した把手の左右からそれぞれの孔へ釣り糸で吊り下げる。その把手を持ってビーターで例え無造作に打ち続けても、トライアングル本体が回転しないために確実にビーターで打つ続けることができることを特徴とする演奏中に回転しない２つの孔に吊すトライアングル。
【発明の詳細な説明】
【技術分野】
【０００１】  本発明は、本体に２つの孔を空けたトライアングルに関するものである。
【背景技術】
【０００２】  これまでは、トライアングルを演奏する時、図５で示すように三角形であるトライアングルの上部の角（頂角と呼ぶ）に紐や糸を輪にして掛け、輪の上部を片手の指で支え、反対の手でビーター（ばち）を持って打ち付けて響かせて演奏していた。この時紐が掛かっているトライアングルの頂角は１点で、その１点のみで釣支するため、上から見てトライアングル面に対して、垂直にビーターを当てなければトライアングルは回転してしまい、その後は打つことができなくなったり響く音を出すことができなくなったりする。【０００３】  そこで、トライアングルの３辺の床面に接している辺（底辺と呼ぶ）以外の、内側に傾斜している２辺の上部に孔を空け、別に用意した把手の両端とそれぞれ繋ぎ２点で釣持することでほとんど回転しなくなり、ビーターで確実に打ち続けることができるようになる。
【先行技術文献】
【０００４】
【ウェブページ公開文献】
ｈｔｔｐ：／／ｗｗｗ．ｊｓｍｅ．ｏｒ．ｊｐ／ｍｏｎｏｇｒａｐｈ／ｄｍｃ／２０００／ＤＡＴＡ／ＰＤＦ／２５６．ＰＤＦ  ２５６  トライアングルの振動と発音についての研究
Ａ  Ｓｔｕｄｙ  ｏｎ  Ｖｉｂｒａｔｉｏｎ  ａｎｄ  Ｓｏｕｎｄ  Ｃｈａｒａｃｔｅｒｉｓｔｉｃｓ  ｏｆ  Ｔｒｉａｎｇｌｅ
○森  裕介（東北大）  田中  基八郎（埼玉大）
渡邉  鉄也（埼玉大）  戸田  富士夫（埼玉大）
【０００５】  上記文献によると、我々が漠然と高い音だと思って聞いているトライアングルの音は、楽器の大きさなどによって違いはあるだろうが、１辺の長さ１５．８ｃｍのトライアングルで実験した結果は、２ｋＨｚ付近を中心に５ｋＨｚぐらいまでの間で強い音が出ていて、振動、音ともに周波数の低い順に、２００Ｈｚ、３４４Ｈｚ、１．２３ｋＨｚ、１．８９ｋＨｚ、２．１１ｋＨｚ、３．９３ｋＨｚ、４．８０ｋＨｚのところで周波数のピークがあった。また、トライアングルを１点で吊り下げる時のポイントである頂角の位置がおおよそ振動の節になっている。振動の節になっていることによって、吊すための紐や糸がそこに接していても、さらに指で挟持しても振動を止めずに音が長く響くことになる。既存のトライアングルのサイズは様々で、メーカーによっては三角形の形も正三角形に近いもの、二等辺三角形に近いものがあるが、いずれのトライアングルでも３箇所の角の部分は振動の節になっている。本発明の「演奏中に回転しない２点で吊すトライアングル」は１辺が２４ｃｍのトライアングルを想定している。
【発明の概要】
【発明が解決しようとする課題】
【０００６】  トライアングル２か所に孔を空けてその２点で吊り下げる場合、トライアングル本体の重心が２つの孔より下になり、吊り下げた時にトライアングルが安定した状態で静止しなければならない。またビーターで打つ時に邪魔にならないように、内側に傾斜している２辺の中心より上部に孔を空けることが望ましい。【０００７】  さらに、トライアングルが鳴り響き振動している時、振動の幅が小さい振動の節に近い位置に孔を空けることが望ましい。
【課題を解決するための手段】
【０００８】  上記文献「トライアングルの振動と発音についての研究」によれば、内側に傾斜している２辺の下から４分の３の高さの位置は、強いピークであった２００Ｈｚ、３４４Ｈｚ、１．２３ｋＨｚ、１．８９ｋＨｚ、２．１１ｋＨｚ、３．９３ｋＨｚ、４．８０ｋＨｚのうち、２００Ｈｚ、３４４Ｈｚ、１．２３ｋＨｚ、４．８０ｋＨｚで振動の節に近い箇所になる。（図７参照：上記「先行技術文献」による）【０００９】  トライアングルの内側に傾斜している２辺の下から４分の３の高さの位置の孔２点で吊り下げれば、重心が２点の孔より下になり、トライアングルを安定して釣持することができ、またビーターで打つ時に邪魔になることはない。さらに、２点間の幅が把手の幅とおよそ同等の長さになり揺れが少なくなり回転することがなくなる。【００１０】  ただ、内側に傾斜している２辺の下から４分の３の高さの位置が振動の節に近いと言っても、そこを指で挟持した場合は、ミュート状態になり音を響かせることができなかった。また、２点の孔に通すものが紐やたこ糸の場合、種類や太さが多少違っても、トライアングルと接する部分でミュートが少し掛かり音の響きの減衰は早めになる。【００１１】  紐やたこ糸の代わりにナイロン製である釣り糸（４〜８号）を使用すると、トライアングルと釣り糸が接することによる音の響きの減衰はほとんど起こらなくなる。材質がナイロンであり撚っていない細長い円柱形で接触部分が少なくなるためであると判断でき、実験でも確かめることができた。（図８参照）釣り糸でも１０号以上の太めの釣り糸を使用した場合は、音の響きの減衰はやや早めになった。耐荷重や長期の使用の耐久性を考慮して８号（０．４７ｍｍ）の釣り糸が最適であると思われる。孔の直径は８号の釣りが糸無理なく通る２〜３ｍｍにする。孔の縁を面取りして釣り糸が切れないようにする。【００１２】  把手は既存のプラスチックの筒や細めのホース、チューブ等色々なものが使用可能であるが、芯を抜いた透明ボールペンのボディーと両端のペン尻ペン先を把手として使用すると、両端からトライアングルの孔までの釣り糸の長さを調節でき、しかも同じ長さで固定することができる。
【発明の効果】
【００１３】  ２つの孔を釣り糸でトライアングル上部角の内側に接しない短さで繋ぎ、その釣り糸を人差し指で支えることによって、他の４本の指がトライアングル本体に触れない時の響きはそのままに、他の４本の指でミュートをかけることが簡単になり、響かせる時とミュートをかる時を瞬時に切り替えることができ、ジャズやポップスの１６ビートなどの演奏がしやすくなる。
【図面の簡単な説明】
【００１４】
【図１】  正面図（把手を持っている図）
【図２】  正面図２（トライアングルの内側で釣持）
【図３】  平面図
【図４】  側面図
【図５】  既存のトライアングルの正面図（釣持している図）
【図６】  既存のトライアングルの正面図
【図７】  各ピークの周波数における振幅の図
【図８】  音の減衰の波形グラフ
【発明を実施するための形態】
【００１５】  以下、本発明の実施の形態を図面に基づき説明する。
【００１６】  まず、既存のトライアングルをビーターで打って演奏している状態を図５（正面図）、図６（平面図）で表した。両図から分かるように、トライアングル本体の頂角１点で釣持しているため、図６のように上から見てトライアングルに対して、垂直にビーターを当てなければ、トライアングルは回転してしまいその後は打つことができなくなったり、響く音を出すことができなくなったりする。
【００１７】  図１は本発明の「演奏中に回転しない２点で吊すトライアングル」の正面図で、把手で釣持している状態を図示し、図３は本発明の平面図で、ビーターで打つところを図示した。両図から分かるように、内側に傾斜している２辺の上部に空けた２つの孔の２点で吊っているため、上から見てトライアングル面に対してビーターを当てる角度が垂直でなくてもトライアングルはほとんど回転することがなく、ビーターで確実に打ち続けることができるようになる。
【００１８】  図２は本発明のトライアングルの２つの孔をトライアングル頂角の内側に接しない短さで釣り糸で繋ぎ、その釣り糸を人差し指で支持している様子を図示した正面図である。図のように、トライアングルの内側を支えて演奏することによって、他の４本の指がトライアングル本体に触れない時の響きはそのままに、他の４本の指でミュートをかけることを瞬時に行うことができ、ジャズやポップスの１６ビートなどの演奏がしやすくなる。
【実施例】
【００１９】  トライアングルは小学校低学年の児童や幼稚園、保育園の園児によって演奏されることが比較的多い。演奏技術があまり高くない彼らには、トライアングル面に対してビーターをいつも垂直に打ち続けることは難しい。そのような場合でも、本発明のトライアングルを使えば、トライアングル本体の回転がなくなってビーターを打ち続けることができ、演奏が途中で途切れることがなくなる。演奏発表会などで、演奏者も見ている人たちも満足を得ることができるであろう。
【符号の説明】
【００２０】１１            本発明のトライアングル本体
１２            本発明のトライアングルに空けた孔
１３            本発明のトライアングル用の把手
１４            本発明のトライアングルを吊す釣り糸
１５            本発明のトライアングルを内側で支持する釣り糸
１６            ビーター
１７            既存のトライアングル
１８            既存のトライアングルを吊している紐（釣り糸）
【図１】
2015210511.tif 000003
【図２】
2015210511.tif 000004
【図３】
2015210511.tif 000005
【図４】
2015210511.tif 000006
【図５】
2015210511.tif 000007
【図６】
2015210511.tif 000008
【図７】
2015210511.tif 000009
【図８】
2015210511.tif 000010